(57)【要約】【課題】端子台の接続端子の短絡を防止できる電力量計用のバイパス工具を提供することを課題とする。【解決手段】本発明は、電力量計５が備える端子台５１であって、横並びに配置された複数の接続端子５１０のそれぞれがねじで固定されている端子台５１の前面にあてがうケース２を備え、該ケース２は、上面に立設され且つ該ケース２が前記端子台５１の前面にあてがわれた状態において、複数の接続端子５１０が並ぶ横方向において隣り合う前記ねじの前方の領域の間に配置される壁部２０２を有する、電力量計５用のバイパス工具。【選択図】図９
2019211278.tif 000002
【特許請求の範囲】
【請求項１】
電力量計が備える端子台であって、横並びに配置された複数の接続端子のそれぞれがねじで固定されている端子台の前面にあてがうケースを備え、
該ケースは、上面に立設された壁部であって、該ケースが前記端子台の前面にあてがわれた状態において、前記複数の接続端子が並ぶ横方向において隣り合う前記ねじの前方の領域の間に配置される壁部を有する、
電力量計用のバイパス工具。
【請求項２】
前記接続端子には、アース回路用の接続端子が含まれ、
前記壁部は、前記横方向において、前記アース回路用の接続端子を固定するねじの前方の領域の両側に配置されるように構成される、
請求項１に記載の電力量計用のバイパス工具。
【請求項３】
前記ケースの上方側の背面から進出させて端子台に取り付けられる取付ねじを備え、
前記壁部は、前記ケースの背面と同一平面上又は略同一平面上の位置から上方に向けてまっすぐに延出する後端面を有する、
請求項１又は請求項２に記載の電力量計用のバイパス工具。
【発明の詳細な説明】
【技術分野】
【０００１】
本発明は、電力量計に取り付けて電源側と負荷側とをつなぐバイパス回路を形成する電力量計用のバイパス工具に関する。
【背景技術】
【０００２】
従来、電源と負荷とをつなぐ電路上に設置される電力量計に対して、電源側と負荷側とをつなぐためのバイパス回路を新たに形成するバイパス工具が知られている。
【０００３】
例えば、特許文献１には、電線を接続する電線接続部が複数設けられた端子ブロック（いわゆる、端子台）を備える電力量計を対象とし、該端子ブロックに取り付けることで電力量計に前記バイパス回路を形成するように構成されたバイパス工具が開示されている。
【０００４】
バイパス工具は、端子ブロックの前面にあてがうケースと、該ケースに対して前面側から挿通され且つ先端部が該ケースの背面から出退する複数のねじと、ケース内で複数のねじ同士を電気的に接続するブスバと、を備えている。
【０００５】
そのため、前記バイパス工具は、ケースを端子ブロックの前面にあてがった後にねじの先端部をケースの背面から進出させ、さらに、該ねじの先端部を電線接続部の雌ねじ部に螺合させると、ねじが電線接続部に対して電気的に接続された状態で固定され、これにより、端子ブロックに前記バイパス回路を形成できるようになっている。
【先行技術文献】
【特許文献】
【０００６】
【特許文献１】特開２０１６−８０６８７号公報
【発明の概要】
【発明が解決しようとする課題】
【０００７】
ところで、電力量計の端子ブロックは、複数の電線接続部が横並びに配置された状態で、土台となる端子ブロック本体に対してねじで固定されており、上記従来のバイパス工具を使用する場合は、ケースを前記ねじよりも下方側にずらした位置で端子ブロックに取り付けている。
【０００８】
これにより、バイパス工具を端子ブロックに取り付けた状態においても端子ブロックから前記ねじを操作できるようにしているが、緩めたねじが端子ブロック本体から外れてしまい、該ねじが別々の電線接続部に接触することがあった。そのため、上記従来のバイパス工具では、別々の回路を構成する電線接続部同士が短絡してしまうことがあった。
【０００９】
そこで、本発明は、かかる実情に鑑み、端子台の接続端子の短絡を防止できる電力量計用のバイパス工具を提供することを課題とする。
【課題を解決するための手段】
【００１０】
本発明の電力量計用のバイパス工具は、
電力量計が備える端子台であって、横並びに配置された複数の接続端子のそれぞれがねじで固定されている端子台の前面にあてがうケースを備え、
該ケースは、上面に立設された壁部であって、該ケースが前記端子台の前面にあてがわれた状態において、前記複数の接続端子が並ぶ横方向において隣り合う前記ねじの前方の領域の間に配置される壁部を有する。
【００１１】
かかる構成によれば、ケースが端子台の前面にあてがわれると、横方向で隣り合うねじのそれぞれの前方の領域の間が壁部によって仕切られるため、接続端子から外れたねじが他の接続端子に接触してしまうことが防止される。
【００１２】
本発明の電力量計用のバイパス工具において、
前記接続端子には、アース回路用の接続端子が含まれ、
前記壁部は、前記横方向において、前記アース回路用の接続端子を固定するねじの前方の領域の両側に配置されるように構成されていてもよい。
【００１３】
電力量計では、アース回路用の接続端子の両側に、別の回路を構成する接続端子が配置されるが、上記構成の電力量計用のバイパス工具によれば、アース回路用の接続端子を固定するねじの前方の領域の両側を壁部によって仕切ることができるため、ねじの接触が原因となるアース回路と該アース回路とは別の回路との短絡を防止できる。
【００１４】
また、本発明の電力量計用のバイパス工具は、
前記ケースの上方側の背面から進出させて端子台に取り付けられる取付ねじを備え、
前記壁部は、前記ケースの背面と同一平面上又は略同一平面上の位置から上方に向けてまっすぐに延出する後端面を有する。
【００１５】
かかる構成によればば、ケースを端子台の前面にあてがい、壁部の後端面をケースの上方側で端子台の前方に当接させることができるため、ケースに対して該ケースの下方側を端子台から引き剥がすような外力が加わったときに、壁部の後端面が支えとなって、ケースの傾きが抑えられる。
【００１６】
これにより、前記電力量計用のバイパス工具は、ケースの傾き（ケースの下端側が前方へ、上端側が後方へ動くような傾き）を防止することで、ケースの上方側で端子台に取り付けられる取付ねじにかかる負荷を抑えることができる。
【発明の効果】
【００１７】
以上のように、本発明の電力量計用のバイパス工具は、端子台の接続端子の短絡を防止できるという優れた効果を奏し得る。
【図面の簡単な説明】
【００１８】
【図１】図１は、本発明の一実施形態に係る電力量計用のバイパス工具の正面図である。
【図２】図２は、同実施形態に係る電力量計用のバイパス工具の背面図である。
【図３】図３は、同実施形態に係る電力量計用のバイパス工具の平面図である。
【図４】図４は、図１のＩＶ−ＩＶ線における断面図である。
【図５】図５において、（ａ）は第一の姿勢に切り替えた操作部の正面図であり、（ｂ）は第一の姿勢に切り替えた操作部の平面図である。
【図６】図６において、（ａ）は第二の姿勢に切り替えた操作部の正面図であり、（ｂ）は第二の姿勢に切り替えた操作部の平面図である。
【図７】図７において、（ａ）は電力量計の正面図であり、（ｂ）は電力量計の底面図である。
【図８】図８は、同実施形態に係る電力量計用のバイパス工具の使用状態の説明図であって、バイパス工具を端子台の前面に固定した状態の説明図である。
【図９】図９は、図８におけるＩＸ−ＩＸ線での断面図である。
【図１０】図１０は、本発明の他の実施形態に係る電力量計用のバイパス工具の使用状態の説明図であって、バイパス工具を端子台の前面に固定した状態の説明図である。
【図１１】図１１は、図１０におけるＸＩ−ＸＩ線での断面図である。
【発明を実施するための形態】
【００１９】
以下、本発明の一実施形態に係る電力量計用のバイパス工具（以下、バイパス工具と称する）について添付図面を参照しつつ説明を行う。
【００２０】
電力量計５は、図７（ａ）、及び図７（ｂ）に示すように、計量部５０と、端子台５１と、を備えており、該端子台５１は、横並びに配置された複数の接続端子５１０を備えている。なお、本実施形態においては、アース回路を構成する接続端子５１０には符号「５１０Ｅ」を付している。
【００２１】
端子台５０は、電源側につながるケーブルと、負荷側につながるケーブルと、が接続されるように構成されており、電源側のケーブルと負荷側のケーブルとは計量部５０を通じて電気的に接続されるようになっている。なお、端子台５１は、底面の差込孔５１０ａを通じてケーブルを内部に差し込めるように構成されている（図８（ｂ）参照）。
【００２２】
接続端子５１０には、前面側から取付ねじＳが挿通されており、該取付ねじＳによって接続端子５１０が端子台５１の前面に固定されている。また、この取付ねじＳは、端子台５１に計量部５０を固定するためのねじでもある。
【００２３】
本実施形態に係るバイパス工具は、上記構成の電力量計５に使用するものであり、端子部に対して、計量部５０を通さずに（迂回して）電源側のケーブルと負荷側のケーブルとを電気的に接続するバイパス回路を接続するように構成されている。
【００２４】
本実施形態に係るバイパス工具は、図１に示すように、バイパス回路が内装されるケース２と、該ケース２内に設けられるバイパス端子であって、バイパス回路を電力量計５（本実施形態では、端子台５１）に接続するためのバイパス端子３（図２参照）と、該バイパス端子３に設けられる操作部であって、バイパス端子３を、端子台５１に導通接続した接続状態とバイパス端子３を端子台５１から切り離した切離状態とに切り替えるための操作部４と、を備えている。
【００２５】
なお、本実施形態では、ケース２の前面と背面とが並ぶ方向を前後方向、ケース２の上下に対応する方向を上下方向、前後方向と上下方向とに直交する方向（すなわち、ケース２の横幅に対応する方向）を横方向、と称して以下の説明を行うこととする。
【００２６】
また、本実施形態に係るバイパス工具には２つのバイパス回路が設けられており、一方のバイパス回路には２つのバイパス端子３が接続されており、該２つのバイパス端子３には共通の１つの操作部４が設けられている。他方のバイパス回路にも、２つのバイパス端子３が接続されているが、該２つのバイパス端子３のそれぞれには、別々の操作部４が設けられている（図１、図２参照）。
【００２７】
ケース２は、図４に示すように、端子台５１の前面にあてがわれる背面２００、及び該背面２００とは反対側の前面２０１とを有するケース本体２０と、バイパス端子３をケース本体２０に対して前後方向でスライドさせるためのスライド構造２１と、バイパス端子３を前記前後方向における後方側に付勢するための付勢部材２２と、バイパス端子３を前記前後方向で位置決め可能な端子用位置決部２３と、ケース本体２０を端子台５１に固定するための固定構造２４（図１参照）と、を備えている。
【００２８】
ケース本体２０は、箱状に形成されており、内部にはバイパス端子３が配置されている。なお、ケース本体２０内には、バイパス回路を構成するための基板や電子部品も配置されている。
【００２９】
また、ケース本体２０は、図１に示すように、上面に立設された壁部２０２を有する。壁部２０２は、ケース２が端子台５１の前面にあてがわれた状態において、前記横方向で隣り合う２つの接続端子５１０の固定ねじの前方の領域の間を仕切るように構成されている。
【００３０】
壁部２０２は、前記前後方向に沿ってケース本体２０の背面２００に対応する位置からケース本体２０の前面２０１側に向かって延びている。図３に示すように、壁部２０２の後端面２０２ａは、前記前後方向においてケース本体２０の背面２００と一致する場所に形成されており、また、ケース本体２０の上面から前記上下方向における上方に向かって真っすぐに延びている。そのため、壁部２０２の後端面２０２ａとケース２の背面２００とは、同一平面上又は略同一平面上に位置している。
【００３１】
さらに、壁部２０２は、アース用の接続端子５１０を固定する取付ねじＳの前方の領域と、他の接続端子５１０を固定する取付ねじＳの前方の領域との間を仕切るように構成されており、本実施形態では、アース用の接続端子５１０を固定する取付ねじＳの前方の領域と該アース用の接続端子５１０に対して前記横方向の一方側で隣り合う接続端子５１０を固定する取付ねじＳの前方の領域との間を仕切る壁部２０２と、アース用の接続端子５１０を固定する取付ねじＳの前方の領域と該アース用の接続端子５１０に対して前記横方向の他方側で隣り合う接続端子５１０を固定する取付ねじＳの前方の領域との間を仕切る壁部２０２とが設けられている。
【００３２】
スライド構造２１は、操作部４を前記前後方向でスライド可能となるように挿通する操作部用挿通部２１０であって、ケース本体２０の前面２０１で開口する筒状の操作部用挿通部２１０と、バイパス端子３を前記前後方向でスライド可能となるように挿通する端子用挿通部２１１であって、ケース本体２０の背面２００に設けられる端子用挿通部２１１とを有する。
【００３３】
操作部用挿通部２１０は、ケース本体２０の前面２０１の内側（ケース本体２０内に位置する一面側）から前記前後方向における後方側に向かって延出している。
【００３４】
また、操作部用挿通部２１０では、先端側の内径が基端側の内径よりも大きくなっている。そのため、操作部用挿通部２１０の先端側の内周面と基端側の内周面との境目には、操作部用挿通部２１０の基端側の内周面に対応する位置から径方向外方（操作部用挿通部２１０の径方向外方）に広がる内平面２１２が形成されている。
【００３５】
なお、本実施形態では、４つの操作部用挿通部２１０が前記横方向で間隔をあけて並んでいる。
【００３６】
端子用挿通部２１１は、筒状であり、且つケース本体２０の背面２００の外側（ケース本体２０外に位置する一面側）から前記前後方向における後方側に向かって延出している。また、端子用挿通部２１１は、基端側の開口がケース本体２０の内部に向けて開放している。
【００３７】
本実施形態では、上述のように、４つのバイパス端子３がケース２の横方向で間隔をあけて並ぶように配置されるため、ケース本体２０の背面２００には、各バイパス端子３の配置位置に合わせて２つの端子用挿通部２１１が前記横方向で間隔をあけて並ぶように形成されている。
【００３８】
なお、端子用挿通部２１１は、操作部用挿通部２１０に対して上方側にずれた位置に設けられている。
【００３９】
付勢部材２２は、圧縮コイルバネである。また、付勢部材２２は、端子用挿通部２１１の先端側に挿入されており、伸縮方向における一端が内平面２１２に当接するように配置されている。なお、付勢部材２２は、バイパス端子３が、後述する進出位置に配置した状態で、伸縮方向における全長が知全長未満となるように構成されることが好ましい。このようにすれば、バイパス端子３に対して前後方向における後方側に働く付勢力を常にかけておくことができる。なお、付勢部材２２は、板ばね等で構成されていてもよい。
【００４０】
端子用位置決部２３は、図５（ｂ）、図６（ｂ）に示すように、バイパス端子３を前記前後方向における後方側にスライドさせた進出位置に位置決めする進出用位置決部２３０と、バイパス端子３を前記前後方向における前方側にスライドさせた後退位置に位置決めする後退用位置決部２３１と、を有する。
【００４１】
なお、進出位置とは、端子台５１の前面にケース２（ケース本体２０の背面２００）をあてがっている状態でバイパス端子３が端子台５１の接続端子５１０に接触（導通）する位置のことである。また、後退位置とは、端子台５１の前面にケース２（ケース本体２０の背面２００）をあてがっている状態でバイパス端子３が端子台５１の接続端子５１０に対して非接触となる位置のことである。
【００４２】
進出用位置決部２３０は、図５（ｂ）に示すように、前記前後方向における後方側で操作部４を受ける進出用受部２３０ａと、該進出用受部２３０ａ上に操作部４を留めるための進出用ずれ止部２３０ｂと、を有する。
【００４３】
後退用位置決部２３１は、図６（ｂ）に示すように、前記前後方向における後方側で操作部４を受ける後退用受部２３１ａと、後退用受部２３１ａ上に操作部４を留めるための後退用ずれ止部２３１ｂと、を有する。
【００４４】
ここで、本実施形態に係る端子用位置決部２３（進出用位置決部２３０、後退用位置決部２３１）は、操作部４を介してバイパス端子３を位置決めするように構成されている。
【００４５】
より具体的に説明すると、端子用位置決部２３は、ケース本体２０の前面２０１から前方に向かって延出する筒状部２３２によって構成されている。
【００４６】
筒状部２３２には、先端面から前記前後方向における基端側に向かって凹む凹部２３２ａが形成されている。また、筒状部２３２には、周方向（自身の周方向）で間隔をあけて複数（本実施形態では２つ）の凹部２３２ａが形成されている。
【００４７】
進出用受部２３０ａでは、図５（ｂ）に示すように、凹部２３２ａの底面２３２ｂにより進出用受部２３０ａが構成され、凹部２３２ａの側面２３２ｃにより進出用ずれ止部２３０ｂが構成されている。
【００４８】
そして、後退用受部２３１ａでは、図６（ｂ）に示すように、筒状部２３２の先端面２３２ｄ（筒状部２３２の周方向で隣り合う凹部２３２ａと凹部２３２ａの間の先端面２３２ｄ）により後退用受部２３１ａが構成されており、該先端面２３２ｄの両側端部から手前側（前記前後方向における前方側）に膨出する膨出部２３２ｅにより後退用ずれ止部２３１ｂが構成されている。
【００４９】
固定構造２４は、図９に示すように、前記前後方向に沿ってケース本体２０の前面２０１から背面２００まで連続する挿通領域を形成する前側挿通部２４０と、該固定用挿通部に対して前記前後方向における後方側で並ぶ位置に設けられる固定用挿通部２４１と、固定用挿通部２４１に対して前記前後方向における前方側から挿通される固定ねじ２４２と、固定用挿通部２４１内の固定ねじ２４２をケース本体２０の前面２０１側に付勢する押戻手段２４３と、を備えている。
【００５０】
前側挿通部２４０の挿通領域は、ケース本体２０の前面２０１、及びケース本体２０の背面２００で開放するように形成されている。
【００５１】
固定用挿通部２４１は、筒状であり且つケース本体２０の背面２００から前記前後方向における後方側に向かって延出している。また、固定用挿通部２４１は、横方向において端子用挿通部２１１よりも内側に設けられている。なお、固定用挿通部２４１は、固定ねじ２４２を収容可能なねじ用収容部でもある。
【００５２】
固定ねじ２４２は、固定用挿通部２４１に対して前記前後方向でスライド可能となるように挿通されている。また、固定ねじ２４２は、固定用挿通部２４１内でのスライドにより、雄ねじ部の先端部を固定用挿通部２４１から前記前後方向における後方側に露出（進出）させた露出状態と、雄ねじ部の先端部全体を固定用挿通部２４１内に収容した収容状態（すなわち、雄ねじ部の先端が固定用挿通部２４１の先端よりも前後方向のける前方側に位置する状態）とに切替可能である。
【００５３】
固定ねじ２４２が露出状態に切り替えられると、雄ねじ部を電力量計５（端子台５１）におけるバイパス工具の取付箇所（例えば、接続端子５１０に形成されているねじ孔）に螺合させることができる状態になる。一方、固定ねじ２４２が収容状態に切り替えられると、雄ねじ部を前記取付箇所に螺合させることができない状態になる。
【００５４】
押戻手段２４３は、圧縮コイルバネで構成されており、前記前後方向で伸縮するようにして前側挿通部２４０内に配置されており、前側挿通部２４０内で前記前後方向における後方側にスライドさせた固定ねじ２４２を手前側に押し返すように構成されている。
【００５５】
バイパス端子３は、図４に示すように、軸状の端子本体部３０と、端子本体部３０と操作部４とを連結する連結構造３１と、端子本体部３０をバイパス回路の電路に接続するための導通接続部３２と、を備えている。
【００５６】
端子本体部３０は、軸心方向を前記前後方向に一致又は略一致させた状態で配置されており、端子用挿通部２１１に挿通されている。
【００５７】
また、端子本体部３０は、バイパス端子３を進出位置又は退避位置への配置変更に伴い、端子用挿通部２１１内で前記前後方向にスライドするように構成されている。そして、端子台５１の前面にケース２をあてがった状態でバイパス端子３が進出位置に配置されると、端子本体部３０の先端部は、端子挿通部から外部に進出して（すなわち、端子挿通部よりも前記前後方向における後方側に進出して）接続端子５１０に接触する。一方、端子台５１の前面にケース２をあてがった状態でバイパス端子３が退避位置に配置されると、端子本体部３０の先端部は、端子挿通部内に退避して接続端子５１０から離れる。このようにして、バイパス端子３が接続端子５１０に導通接続された状態と、バイパス端子３が接続端子５１０から切り離された状態とが切り替わるようになっている。
【００５８】
連結構造３１は、端子本体部３０が取り付けられる連結板部３１０と、該連結板部３１０と操作部４とを連結する連結軸部３１１と、を有する。
【００５９】
連結板部３１０には、端子本体部３０の軸心方向における一端（以下、基端と称する）が取り付けられている。また、連結板部３１０は、細長い形状（本実施形態では、長方形状）であり、長手方向における一端部にバイパス端子３が取り付けられ、長手方向における中央部に連結軸部３１１が取り付けられている。
【００６０】
連結軸部３１１は、軸心方向が前記前後方向に一致又は略一致する姿勢で、操作部用挿通部２１０の先端側から該操作部用挿通部２１０内に挿通されている。
【００６１】
また、本実施形態では、連結軸部３１１が操作部用挿通部２１０内の付勢部材２２の内側にも挿通された状態になっており、連結板部３１０が付勢部材２２の伸縮方向における他端（以下、先端と称する）を受けるように構成されている。
【００６２】
さらに、連結軸部３１１の軸心は、端子本体部３０の軸心から離れた場所（端子本体部３０の径方向で離れた場所）に位置している。そのため、端子本体部３０は、連結軸部３１１の軸心を中心とする周方向で回転可能であり、端子用挿通部２１１との間のスペースにより許容される範囲内で、横方向に動くことができるように構成されている。
【００６３】
導通接続部３２は、連結構造３１の一部に対して一体に形成されている。本実施形態では、連結板部３１０の長手方向における他端部により導通接続部３２が構成されている。そして、本実施形態では、各バイパス端子３の導通接続部３２同士が電気的に接続されることで、一つのバイパス回路が構成されている。
【００６４】
操作部４は、ケース本体２０の前面２０１よりも手前側に配置される操作部本体４０と、該操作部本体４０から延出し且つ操作部４用ガイド部に対して前記前後方向でスライド可能となるように挿入される被ガイド部４１と、を有する。
【００６５】
操作部本体４０は、細長い形状（本実施形態では長方形状）であり、長手方向における寸法が端子用位置決部２３（筒状部２３２）の外径よりも大きくなっている。本実施形態に係る操作部本体４０では、長手方向における両側が端子用位置決部２３（進出用受部２３０ａ、若しくは後退用受部２３１ａ）に対して前方側から掛止する掛止部４００となっている。
【００６６】
被ガイド部４１は、この操作部本体４０の長手方向における中央部側から延出している。そのため、各掛止部４００は、被ガイド部４１を中心とする周方向に沿って回動可能となっている。
【００６７】
本実施形態に係るバイパス工具の構成は以上の通りである。続いて、本実施形態に係るバイパス工具の使い方を説明する。
【００６８】
バイパス工具を用いてバイパス回路を端子台５１に接続するにあたり、各バイパス端子３を後退位置に配置しておく。このとき、端子本体部３０の先端は、端子用挿通部２１１内に配置されている。また、操作部本体４０は、掛止部４００が後退用受部２３１ａに対して前方側から掛止されている。
【００６９】
掛止部４００は、被ガイド部４１を中心とする周方向に沿って回動しようとすると後退用ずれ止部２３１ｂが干渉する。そのため、掛止部４００は、後退用ずれ止部２３１ｂによって後退用受部２３１ａ上に留められている。
【００７０】
バイパス工具を端子台５１に取り付けるには、まず、ケース２（ケース本体２０の背面２００）を端子台５１の前面にあてがう。本実施形態では、ケース本体２０の上面が取付ねじＳよりも下方側に位置するようにして、ケース２を端子台５１の前面にあてがう。
【００７１】
ケース本体２０の背面２００を端子台５１の前面にあてがった状態においては、各端子本体部３０が別々の接続端子５１０の前方に配置され、固定ねじ２４２が前記固定箇所（本実施形態では、接続端子５１０に形成されているねじ孔）の前方に配置される。そして、固定ねじ２４２を前記固定箇所に螺合させることでケース２が端子台５１に固定される。
【００７２】
ケース本体２０の背面２００を端子台５１の前面にあてがった状態においては、該背面２００と各壁部２０２の後端面２０２ａとが端子台５１の前面に当接する。
【００７３】
また、ケース２を端子台５１の前面にあてがうと、一方の壁部２０２は、アース用の接続端子５１０を固定する取付ねじＳの前方の領域と該アース用の接続端子５１０に対して前記横方向の一方側で隣り合う接続端子５１０を固定する取付ねじＳの前方の領域との間に配置され、他方の壁部２０２は、アース用の接続端子５１０を固定する取付ねじＳの前方の領域と該アース用の接続端子５１０に対して前記横方向の他方側で隣り合う接続端子５１０を固定する取付ねじＳの前方の領域との間に配置される。
【００７４】
そのため、アース用の接続端子５１０を固定する取付ねじＳの前方の領域の両側（前記横幅方向における両側）が一対の壁部２０２により仕切られる。これにより、例えば、計量部５０を端子台５１から取り外すべく、アース用の接続端子５１０の取付ねじＳを緩めた際に、アース用の接続端子５１０から取付ねじＳが完全に外れたとしても、各壁部２０２の間に取付ねじＳを留めておくことができる。
【００７５】
そして、各バイパス端子３を後退位置から進出位置に移動させることで、バイパス回路が端子台５１に接続される。
【００７６】
より具体的に説明すると、操作部本体４０を後退用ずれ止部２３１ｂよりも手前側に引き出した後、該操作部本体４０を回転させて各掛止部４００を後退用受部２３１ａの前方から進出用受部２３０ａの前方に移動させる。そして、各掛止部４００を進出用受部２３０ａに配置し、付勢手段の付勢力に任せて各掛止部４００を進出用受部２３０ａに掛止する。
【００７７】
なお、掛止部４００は、進出用受部２３０ａに掛止されている状態で被ガイド部４１を中心とする周方向に沿って回動しようとすると、進出用ずれ止部２３０ｂが干渉する。そのため、掛止部４００は、被ガイド部４１を中心とする周方向での回動が規制された状態になる。
【００７８】
また、掛止部４００を後退用受部２３１ａから進出用受部２３０ａに掛け替えるに伴い、端子本体部３０が前記前後方向における前方側にスライドする。そのため、端子本体部３０の先端部が端子用挿通部２１１から外側に進出し、該端子本体部３０の先端部（先端面２３２ｄ）が接続用端子の前面に当接する。
【００７９】
端子本体部３０は、このようにして接続用端子に導通接続される。そして、各バイパス端子３の端子本体部３０を接続用端子に導通接続することにより、バイパス回路を端子台５１に接続することができる。
【００８０】
端子台５１からバイパス回路を切り離す場合は、各バイパス端子３を進出位置から後退位置に移動させる。
【００８１】
より具体的に説明すると、操作部本体４０を進出用ずれ止部２３０ｂ及び後退用ずれ止部２３１ｂよりも手前側に引き出した後、該操作部本体４０を回転させて各掛止部４００を進出用受部２３０ａの前方から後退用受部２３１ａの前方に移動させる。そして、各掛止部４００を後退用受部２３１ａに配置し、付勢手段の付勢力に任せて各掛止部４００を後退用受部２３１ａに掛止する。
【００８２】
掛止部４００を進出用受部２３０ａから後退用受部２３１ａに掛け替えるに伴い、端子本体部３０が前記前後方向における後方側にスライドする。そのため、端子本体部３０の先端部が端子用挿通部２１１内に移動し、該端子本体部３０の先端部（先端面２３２ｄ）が接続用端子の前面から離れる。
【００８３】
接続端子５１０に導通接続されている端子本体部３０は、このようにして接続用端子から切り離される。そして、各バイパス端子３の端子本体部３０を接続用端子から切り離すことで、バイパス回路を端子台５１から切り離すことができる。
【００８４】
以上のように、本実施形態に係るバイパス工具によれば、ケース２が端子台５１の前面にあてがわれると、端子台５１の前方では、横方向で隣り合うねじのそれぞれの前方の領域の間が壁部２０２によって仕切られるため、接続端子５１０から外れたねじと他の接続端子５１０との接触が防止される。従って、端子台５１の接続端子５１０の短絡を防止できるという優れた効果を奏し得る。
【００８５】
特に、バイパス工具１においては、アース回路用の接続端子５１０の両側に、別の回路を構成する接続端子５１０が配置されるが、本実施形態に係る電力量計５用のバイパス工具によれば、アース回路用の接続端子５１０を固定するねじの前方の領域の両側を壁部２０２によって仕切ることができるため、ねじの接触が原因となるアース回路と該アース回路とは別の回路との短絡を防止できる。
【００８６】
また、ケース２が端子台５１の前面にあてがわれた状態においては、壁部２０２の後端面２０２ａをケース２の上方側で端子台５１の前方に当接させることができるため、ケース２に対して該ケース２の下方側を端子台５１から引き剥がすような外力が加わったときに、壁部２０２の後端面２０２ａが支えとなり、ケース２の傾きが抑えられる。
【００８７】
これにより、前記電力量計５用のバイパス工具は、ケース２の傾き（ケース２の下端側が前方へ、上端側が後方へ動くような傾き）を防止することで、ケース２の上方側で端子台５１に取り付けられる取付ねじＳにかかる負荷を抑えることができる。
【００８８】
なお、本発明のバイパス工具は、上記実施形態に限定されるものではなく、本発明の要旨を逸脱しない範囲内において種々の変更を加え得ることは勿論である。
【００８９】
上記実施形態において、壁部２０２は、アース用の接続端子５１０を固定する取付ねじＳの前方の領域と該アース用の接続端子５１０に対して前記横方向の一方側で隣り合う接続端子５１０を固定する取付ねじＳの前方の領域との間を仕切る壁部２０２と、アース用の接続端子５１０を固定する取付ねじＳの前方の領域と該アース用の接続端子５１０に対して前記横方向の他方側で隣り合う接続端子５１０を固定する取付ねじＳの前方の領域との間を仕切る壁部２０２とが設けられていたが、この構成に限定されない。例えば、アース用の接続端子５１０を固定する取付ねじＳとは別の取付ねじＳの前方の領域の横方向における片側、若しくは両側を仕切る壁部２０２が設けられていてもよい。
【００９０】
上記実施形態に係るバイパス工具１は、２つのバイパス回路を有するように構成されていたが、この構成に限定されない。例えば、バイパス工具１は、図１０、図１１に示すように、１つのバイパス回路を有するものであってもよい。
【００９１】
上記実施形態において、横方向で隣り合う壁部２０２の上端部は非連続であったが、この構成に限定されない。例えば、壁部２０２の上端部は、図１０に示すように、連続していてもよい。
【符号の説明】
【００９２】
１…バイパス工具、２…ケース、３…バイパス端子、４…操作部、５…電力量計、２０…ケース本体、２１…スライド構造、２２…付勢部材、２３…端子用位置決部、２４…固定構造、３０…端子本体部、３１…連結構造、３２…導通接続部、４０…操作部本体、４１…被ガイド部、５０…計量部、５１…端子台、２００…背面、２０１…前面、２０２…壁部、２０２ａ…後端面、２１０…操作部用挿通部、２１１…端子用挿通部、２１２…内平面、２３０…進出用位置決部、２３０ａ…進出用受部、２３０ｂ…進出用ずれ止部、２３１…後退用位置決部、２３１ａ…後退用受部、２３１ｂ…後退用ずれ止部、２３２…筒状部、２３２ａ…凹部、２３２ｂ…底面、２３２ｃ…側面、２３２ｄ…先端面、２３２ｅ…膨出部、２４０…前側挿通部、２４１…固定用挿通部、２４３…押戻手段、３１０…連結板部、３１１…連結軸部、４００…掛止部、５１０…接続端子、５１０ａ…差込孔
【図１】
2019211278.tif 000003
【図２】
2019211278.tif 000004
【図３】
2019211278.tif 000005
【図４】
2019211278.tif 000006
【図５】
2019211278.tif 000007
【図６】
2019211278.tif 000008
【図７】
2019211278.tif 000009
【図８】
2019211278.tif 000010
【図９】
2019211278.tif 000011
【図１０】
2019211278.tif 000012
【図１１】
2019211278.tif 000013
【手続補正書】
【提出日】平成30年10月2日(2018.10.2)
【手続補正１】
【補正対象書類名】特許請求の範囲
【補正対象項目名】全文
【補正方法】変更
【補正の内容】
【特許請求の範囲】
【請求項１】
電力量計が備える端子台であって、横並びに配置された複数の接続端子のそれぞれがねじで固定されている端子台の前面に対向配置する背面を有するケースと、
該ケース内に配置されるバイパス回路と、
前記ケース内で前記バイパス回路に接続され、且つ前記背面から前記ケース外に進出した状態で前記接続端子に導通接続するバイパス端子と、を備え、
前記複数の接続端子には、アース回路用の接続端子と、該アース回路とは別の回路用の接続端子とが含まれ、
前記複数の接続端子が並ぶ横方向における前記アース回路用の接続端子の両隣りには、前記別の回路を構成する接続端子が配置され、
前記ケースは、前記背面が前記端子台の前面にあてがわれた状態において、該ケース自身の上面が前記アース回路用の接続端子を固定しているねじ、及び前記別の回路用の接続端子を固定しているねじよりも下方側に配置されるように構成され、
前記ケースの上面には、前記背面が前記端子台の前面にあてがわれた状態において、前記アース回路用の接続端子を固定している前記ねじの前方の領域と、前記アース回路用の接続端子の隣りに配置されている接続端子を固定している前記ねじの前方の領域との間に配置される壁部が形成される、
電力量計用のバイパス工具。
【請求項２】
前記壁部は、前記横方向において、前記アース回路用の接続端子を固定する前記ねじの前方の領域の両側に配置されるように構成される、
請求項１に記載の電力量計用のバイパス工具。
【請求項３】
前記ケースの上方側の背面から進出させて端子台に取り付けられる取付ねじを備え、
前記壁部は、前記ケースの背面と同一平面上又は略同一平面上の位置から上方に向けてまっすぐに延出する後端面を有する、
請求項１又は請求項２に記載の電力量計用のバイパス工具。
【手続補正２】
【補正対象書類名】明細書
【補正対象項目名】００１０
【補正方法】変更
【補正の内容】
【００１０】
本発明の電力量計用のバイパス工具は、
電力量計が備える端子台であって、横並びに配置された複数の接続端子のそれぞれがねじで固定されている端子台の前面に対向配置する背面を有するケースと、
該ケース内に配置されるバイパス回路と、
前記ケース内で前記バイパス回路に接続され、且つ前記背面から前記ケース外に進出した状態で前記接続端子に導通接続するバイパス端子と、を備え、
前記複数の接続端子には、アース回路用の接続端子と、該アース回路とは別の回路用の接続端子とが含まれ、
前記複数の接続端子が並ぶ横方向における前記アース回路用の接続端子の両隣りには、前記別の回路を構成する接続端子が配置され、
前記ケースは、前記背面が前記端子台の前面にあてがわれた状態において、該ケース自身の上面が前記アース回路用の接続端子を固定しているねじ、及び前記別の回路用の接続端子を固定しているねじよりも下方側に配置されるように構成され、
前記ケースの上面には、前記背面が前記端子台の前面にあてがわれた状態において、前記アース回路用の接続端子を固定している前記ねじの前方の領域と、前記アース回路用の接続端子の隣りに配置されている接続端子を固定している前記ねじの前方の領域との間に配置される壁部が形成される。
【手続補正３】
【補正対象書類名】明細書
【補正対象項目名】００１２
【補正方法】変更
【補正の内容】
【００１２】
本発明の電力量計用のバイパス工具において、
前記壁部は、前記横方向において、前記アース回路用の接続端子を固定する前記ねじの前方の領域の両側に配置されるように構成されていてもよい。